(57)【特許請求の範囲】
【請求項１】
操作部を有するリモコン装置本体と、リモコン装置本体に対して開閉可能に接続され、前記操作部を間接的に操作可能な蓋側操作部を有する開閉蓋とを備え、リモコン装置本体側が浴室の壁面に固定されるリモコン装置であって、
前記開閉蓋は、前記蓋側操作部の操作側が露出する外部壁と、前記蓋側操作部の操作側の反対側が露出する内部壁とを有し、前記蓋側操作部は前記外壁部と内壁部に挟持されており、
前記開閉蓋の閉状態における、前記外部壁及び／又は内部壁の下部には、前記開閉蓋の内外を連通する排水部が設けられていることを特徴とするリモコン装置。
【請求項２】
前記排水部は、前記内壁部に設けられた切り欠きであることを特徴とする請求項１に記載のリモコン装置。
【請求項３】
前記排水部は、前記外壁部に設けられた開口であることを特徴とする請求項１又は２に記載のリモコン装置。
【請求項４】
前記排水部は、リモコン装置本体の正面側にあり、
リモコン装置本体は、排水部より背面側に配された溝部を有することを特徴とする請求項１乃至３のいずれかに記載のリモコン装置。
【請求項５】
前記開閉蓋は、リモコン装置本体の下部側でヒンジ構造を介してリモコン装置本体に接続されていることを特徴とする請求項１乃至４のいずれかに記載のリモコン装置。
【請求項６】
前記開閉蓋の内部には、液体の流れを排水部に導く案内部が設けられていることを特徴とする請求項１乃至５のいずれかに記載のリモコン装置。
【発明の詳細な説明】
【技術分野】
【０００１】
本発明は、リモコン装置に関するもので、特には、浴室内に設けられるリモコン装置に関するものである。
【背景技術】
【０００２】
給湯装置は、一般的に、リモコン装置により動作制御が可能なもので、当該リモコン装置は台所や浴室に配されて使用されるものである。
【０００３】
ところで、最近の給湯装置用のリモコン装置は、機能性を向上させるために、種々の制御内容を備えており、それに伴い多くの操作部が設けられている。ところが、一般の使用者が、それら全ての操作部を日常的に使用することは稀で、通常、頻繁に使用する操作部は２〜３個程度に限られる。そのため、従来技術におけるリモコン装置は、操作部を使用する際の容易性に欠けていた。
【０００４】
そのため、リモコン装置の操作部を、使用頻度の高いものと低いものとに区別する必要があった。例えば、特許文献１には、リモコン装置本体に開閉蓋を取り付け、開閉蓋側に頻繁に使用する蓋側操作部を設けた構成を備えたリモコン装置が開示されている。
【０００５】
具体的には、特許文献１に記載のリモコン装置は、蓋側操作部が開閉蓋を構成する表側部材と裏側部材により挟持された簡易的な構成である。そのため、部品点数が低減されるため、生産効率を向上させることが可能であった。
【先行技術文献】
【特許文献】
【０００６】
【特許文献１】特開平６−２２９６２４号公報
【発明の概要】
【発明が解決しようとする課題】
【０００７】
しかしながら、特許文献１に記載のリモコン装置は、開閉蓋に洗剤等を含んだ湯水が掛けられると、蓋側操作部が挟持された部位（挟持空間）に湯水等が侵入する場合があり、当該挟持空間にカビや異臭が発生したり、洗剤等の成分が固化して蓋側操作部の操作性を低下させる問題があった。
【０００８】
具体的に説明すると、蓋側操作部は、開閉蓋の正面側及び背面側から一部が露出している。即ち、開閉蓋の正面側には蓋側操作部の操作側端部が露出しており、背面側には蓋側操作部の動作側端部が露出している。また、開閉蓋における蓋側操作部が露出する箇所には、蓋側操作部がスムーズに押圧方向に移動できるように、蓋側操作部の露出部位より若干大きめの貫通孔が設けられている。そのため、貫通孔の内径と露出部位の外径との間に僅かな隙間が形成される。これにより、前記隙間から開閉蓋内部に湯水等が侵入する場合がある。
【０００９】
また、特許文献１に記載のリモコン装置は、開閉蓋の内外を連通し得る箇所が、前記した露出部位と貫通孔との間に形成された隙間のみであり、一旦、開閉蓋内部に侵入した湯水等を外部に排出することは困難であった。
従って、従来技術のリモコン装置では、長期間に渡って開閉蓋内部に湯水等が貯留されるため、開閉蓋内部にカビや異臭が発生したり、洗剤等の成分が固化して操作部の操作性を低下させる場合があった。
【００１０】
そこで、本発明では、上記した問題に鑑み、開閉蓋の内部に湯水等が侵入しても、その湯水等を速やかに排水できるリモコン装置を提供することを課題とする。
【課題を解決するための手段】
【００１１】
上記課題を解決するための請求項１に記載の発明は操作部を有するリモコン装置本体と、リモコン装置本体に対して開閉可能に接続され、前記操作部を間接的に操作可能な蓋側操作部を有する開閉蓋とを備え、リモコン装置本体側が浴室の壁面に固定されるリモコン装置であって、前記開閉蓋は、前記蓋側操作部の操作側が露出する外部壁と、前記蓋側操作部の操作側の反対側が露出する内部壁とを有し、前記蓋側操作部は前記外壁部と内壁部に挟持されており、前記開閉蓋の閉状態における、前記外部壁及び／又は内部壁の下部には、前記開閉蓋の内外を連通する排水部が設けられていることを特徴とするリモコン装置である。
【００１２】
本発明のリモコン装置は、リモコン装置本体に対して開閉可能に接続された開閉蓋を備えており、開閉蓋の閉状態における、当該開閉蓋を構成する外部壁及び／又は内部壁の下部に内外を連通する排水部を設けた構成とされている。即ち、開閉蓋の内部に侵入した湯水等は、開閉蓋の閉状態において、排水部からスムーズに外部に排出される。これにより、外部壁と内部壁との間に侵入した湯水に石けんやシャンプー等の洗剤類が混入していた場合であっても、排水部から速やかに排水されるため、それらの成分が開閉蓋内部で固着することが抑制される。即ち、洗剤類の成分の固着により、内部壁と外部壁との間に挟まれた蓋側操作部の操作性が低下することが抑制される。
従って、本発明のリモコン装置によれば、開閉蓋内部に侵入した湯水等が排水部により速やかに排水されるため、洗剤類の成分が固着することが抑制され、蓋側操作部の操作性が低下することが抑制される。
【００１３】
請求項２に記載の発明は、前記排水部は、前記内壁部に設けられた切り欠きであることを特徴とする請求項１に記載のリモコン装置である。
【００１４】
かかる構成によれば、排水部が内壁部に設けられた切り欠きであるため、目立ちにくく、リモコン装置の美観を損ねることがない。
【００１５】
請求項３に記載の発明は、前記排水部は、前記外壁部に設けられた開口であることを特徴とする請求項１又は２に記載のリモコン装置である。
【００１６】
かかる構成によれば、排水部が外壁部に設けられた開口であるため、開閉蓋内部に侵入した湯水等は時間を掛けることなく、よりスムーズに排水される。これにより、洗剤類の成分が開閉蓋内部に留まる可能性をより低減できるため、開閉蓋内部で固化することがより抑制される。従って、本発明によれば、蓋側操作部の操作性が低下してしまう可能性を、より低減できる。
【００１７】
請求項４に記載の発明は、前記排水部は、リモコン装置本体の正面側にあり、リモコン装置本体は、排水部より背面側に配された溝部を有することを特徴とする請求項１乃至３のいずれかに記載のリモコン装置である。
【００１８】
かかる構成によれば、リモコン装置本体は、排水部より背面側に配された溝部を有するため、排水部から排水された湯水等が、浴室の壁面を伝って流れることを防止できる。これにより、浴室の壁面が水垢や湯水に含まれた洗剤類で汚れることを抑制できる。
【００１９】
前記開閉蓋は、リモコン装置本体の下部側でヒンジ構造を介してリモコン装置本体に接続されたものであることが推奨される。（請求項５）
【００２０】
請求項６に記載の発明は、前記開閉蓋の内部には、液体の流れを排水部に導く案内部が設けられていることを特徴とする請求項１乃至５のいずれかに記載のリモコン装置である。
【００２１】
かかる構成によれば、開閉蓋の内部に、湯水等の流れを排水部に導く案内部が設けられているため、開閉蓋内部に侵入した湯水等をよりスムーズに排水することができる。
【発明の効果】
【００２２】
本発明のリモコン装置では、開閉蓋の下部に排水部を設けることで、開閉蓋内部に侵入した湯水等をスムーズに排水することができる。これにより、カビや異臭の発生を抑制できると共に、洗剤類の成分が固化する可能性を低減して、蓋側操作部の操作性が低下することを抑制できる。
【図面の簡単な説明】
【００２３】
【図１】本発明の実施形態のリモコン装置を示す斜視図である。
【図２】図１のリモコン装置を示す分解斜視図である。
【図３】開閉蓋を正面側から見た分解斜視図である。
【図４】開閉蓋を背面側から見た分解斜視図である。
【図５】開閉蓋を示す斜視図である。
【図６】図５の開閉蓋のＡ−Ａ断面を示す模式断面図である。
【図７】図１のリモコン装置をＡ方向から見た矢視図である。
【図８】開閉蓋の変形例を示す斜視図である。（開口）
【図９】開閉蓋の変形例を示す斜視図である。（案内部）
【発明を実施するための形態】
【００２４】
以下に、本発明の実施形態について、図面を参照しながら詳細に説明する。なお、特に断りがない限り、上下左右の関係は通常の取り付け状態を基準とする。
【００２５】
本実施形態のリモコン装置１は、図１に示すように、浴室の壁面に固定された取付部材２に対して取り付けられるものである。なお、取付部材２は、図２に示すように、金属板にプレス加工等を施して形成された板部材で、平面視した形状がほぼ正方形である。そして、取付部材２の上下方向１対の辺には、正面側に「Ｌ」字型の段を形成するように曲げられた鉤部３５と、同じく正面側に水平に曲げられた開口連結部２３が形成されており、その鉤部３５と開口連結部２３にリモコン装置１が装着される。また、取付部材２の頂点近傍には、それぞれ１つずつのビス用の貫通孔３８が設けられており、貫通孔３８にビス３９を挿通して、壁面に対して取付部材２を固定する。
【００２６】
リモコン装置１は、図２に示すように、リモコン装置１の外枠となるケース部５と、ケース部５が重ね合わされることで筺体１０が形成され、その筺体１０内部に遠隔操作を実行可能とする図示しない制御基板や信号線、電力線等が収容される本体部６と、それらを一体的に連結する連結部材３により構成されている。なお、筺体１０から後述する開閉蓋１１を除いたものが、本発明におけるリモコン装置本体に相当する。
【００２７】
ケース部５は、ほぼ正方形の枠体で、ケース部本体５ａと、そのケース部本体５ａに対してヒンジ構造で接続された開閉蓋１１により構成されている。
ケース部本体５ａには、図２に示すように、上下方向中央より上部側に給湯温度や自動湯張りの給湯量等に関する設定事項や動作状態等を表示するモニタ部１２が備えられ、その下方に給湯温度や自動湯張りの給湯量等を設定できる押圧式の操作部１３ａ及び音声やブザー音等の発生源となるスピーカ部１４が備えられている。
【００２８】
また、ケース部本体５ａには、下方に開閉蓋１１を開閉可能に接続する固定側ヒンジ部１５と、連結部材３を挿通する図示しない連通開口部が設けられている。
固定側ヒンジ部１５は、ケース部本体５ａの辺の長さより短くされた細長い棒状部材であり、ケース部本体５ａの正面側の下部におけるほぼ中央に位置している。そして、固定側ヒンジ部１５は、両端部がほぼ半円球状の凸形状とされている。
なお、図示しない連通開口部は、ケース部本体５ａの底面における左側及び右側に１つずつ設けられている。
【００２９】
また、ケース部本体５ａには、図１に示すように、固定側ヒンジ部１５より背面側に溝部５０が設けられている。具体的には、溝部５０は、図７に示すように、ケース部本体５ａにおける背面側下部より正面側且つ、回転側ヒンジ部１８（固定側ヒンジ部１５と同じ位置）より背面側に位置している。換言すると、溝部５０は、ケース部本体５ａの背面側と固定側ヒンジ部１５との間に位置している。
【００３０】
開閉蓋１１は、図３，４に示すように、外部壁１９と内部壁９とが重ね合わされた板体であり、ケース部本体５ａの操作部１３ａを正面側から覆うものである。また、開閉蓋１１は、操作部１３ａを間接的に押圧可能な３つの蓋側操作部１３ｂを具備しており、その蓋側操作部１３ｂは外壁部１９と内壁部９との間に挟持されている。
以下、開閉蓋１１の説明においては、上下左右の関係は、リモコン装置本体に対して開閉蓋１１の閉状態を基準とする。
【００３１】
蓋側操作部１３ｂは、図３，４に示すように、円板状の３つの押圧部４５と、その３つの押圧部４５を左右方向に並列に繋ぐ薄板状の繋合部４６とにより構成されている。押圧部４５は、操作される操作円板４５ａと、操作円板４５ａが押圧されることでケース本体部５ａに設けられた操作部１３ａを間接的に押圧できる動作側端部４５ｂとを有する。即ち、操作円板４５ａと動作側端部４５ｂは、裏表の関係である。
【００３２】
外壁部１９は、図３，４に示すように、化粧側壁１９ａと、その周囲を囲んだ化粧周壁１９ｂとにより構成されている。
化粧側壁１９ａは、板状で、蓋側操作部１３ｂを直接押圧できるように、側壁の厚み方向に貫通した操作側開口２９が形成されており、この操作側開口２９に押圧部４５の操作円板４５ａが露出する。また、操作側開口２９に配された操作円板４５ａは、押圧方向に移動するため、操作側開口２９の径が操作円板４５ａの径より若干大きく設定されている。即ち、操作側開口２９と操作円板４５ａとの間には、若干の隙間が形成される。なお、操作側開口２９は、化粧側壁１９ａの上下方向ほぼ中央に左右方向に１列に並んで配されている。
【００３３】
また、図４に示すように、化粧側壁１９ａの内側面（内部壁９が重ね合わされる側の面）には、蓋側操作部１３ｂの繋合部４６とほぼ同形状の凹部４７が形成されている。即ち、蓋側操作部１３ｂの操作円板４５ａを操作側開口２９に露出させるように配置すると、その蓋側操作部１３ｂの正面側の繋合部４６が凹部４７に嵌り込む。
【００３４】
化粧周壁１９ｂは、化粧側壁１９ａに対してほぼ直交して立設された壁部材である。また、化粧周壁１９ｂには、図４に示すように、周壁を構成する辺に対して内側方向に直交するように突出した突状係合部４１が設けられている。突状係合部４１は、化粧側壁１９ａに対してほぼ平行であると共に、化粧側壁１９ａから一定の間隔を開けて配されている。具体的には、突状係合部４１と化粧側壁１９ａとの間の間隔は、後述する内部壁９の凹状係合部４２が嵌り込む程度の大きさである。なお、突状係合部４１は、化粧周壁１９ｂにおける上下の辺に１つずつ設けられ、左右の辺に２つずつ設けられている。
【００３５】
また、図４に示すように、化粧周壁１９ｂには、その下部側の周壁を構成する辺の両端側に、それぞれ１つずつの回転側ヒンジ部１８が設けられている。この回転側ヒンジ部１８は、前記したケース部本体５ａの固定側ヒンジ部１５が係止されるものである。即ち、回転側ヒンジ部１８同士の間は、前記した固定側ヒンジ部１５の長さとほぼ同じ長さの間隔が形成されている。なお、回転側ヒンジ部１８の内側端部には、ほぼ半円球状にくり抜かれた凹状係止部１８ａが設けられている。
【００３６】
これにより、外部壁１９における回転側ヒンジ部１８の凹状係止部１８ａに、ケース部本体５ａにおける固定側ヒンジ部１５の凸状の端部が嵌り込むため、開閉蓋１１はケース部本体５ａに対して回転可能な関係となる。即ち、開閉蓋１１が、ケース部本体５ａに対してヒンジ構造を介して接続されることとなる。これにより、開閉蓋１１は、ケース部本体５ａの下部を基準に、開閉動作を可能とする。なお、開閉蓋１１の開閉動作は、側面視すると円弧の軌跡を描く。具体的には、開閉蓋１１がケース部本体５ａの操作部１３ａを覆った状態（閉状態）を０度とすると、開閉蓋１１はほぼ１８０度の位置まで開けた状態（最大の開状態）とすることができる。
【００３７】
内部壁９は、図３，４に示すように、内側側壁９ａと、その周囲を囲んだ内側周壁９ｂとにより構成されている。
内側側壁９ａは、板状で、側壁の厚み方向に貫通した動作側開口４３が形成されており、その動作側開口４３に押圧部４５の動作側端部４５ｂが露出する。また、動作側開口４３に配された動作側端部４５ｂは、押圧方向に移動するため、動作側開口４３の径が動作側端部４５ｂの径より若干大きくされている。即ち、動作側開口４３と動作側端部４５ｂとの間には、若干の隙間が形成されている。なお、動作側開口４３は、外部壁１９と内部壁９とを重ね合わせた際に、外部壁１９の操作側開口２９と連通する位置に設けられている。
【００３８】
また、図３に示すように、内部壁９の内側における内側側壁９ａには、動作側端部４５ｂの周囲が当接する窪み部４８が形成されている。窪み部４８は、蓋側操作部１３ｂの操作円板４５ａが押圧されて、動作側端部４５ｂが動作側開口４３から最大限に露出した際に、押圧部４５における動作側端部４５ｂの周囲が当接する箇所である。また、窪み部４８の上下方向下側には、蓋側操作部１３の繋合部４６を下方から支持する直線状のリブ状部材４９が設けられている。
【００３９】
内側周壁９ｂは、内側側壁９ａに対してほぼ直交に立設した壁部材である。
内側周壁９ｂの背面側には、外部壁１９と内部壁９を重ね合わせた際に、突状係合部４１が嵌り込む凹状係合部４２が配されている。具体的には、凹状係合部４２は、内側側壁９ａを構成する上下の辺に１つずつ設けられ、左右の辺に２つずつ設けられている。これにより、外部壁１９に対して内部壁９が確実に装着される。
【００４０】
さらに、内側周壁９ｂには、図３に示すように、周壁を構成する下部側の辺に切り欠き状の排水部３４が１つ形成されている。排水部３４は、前記下部側の辺の端部と凹状係合部４２との間に配されている。これにより、内部壁９と外部壁１９との間に湯水等が流れる隙間を形成することができる。従って、開閉蓋１１の内部に侵入した湯水等は、溜まることなく速やかに外部に排水される。
また、排水部３４は、切り欠きの長さが当該間の長さより十分に短くされている。これにより、内部壁９自体が強度不足となることがない。即ち、蓋側操作部１３ｂを押圧した際に、内部壁９自体が大きく撓んで破損するようなことがない。
【００４１】
本体部６は、図２に示すように、背面壁６ａとその周囲を囲む側面壁６ｂとにより構成された正面視した形状がほぼ正方形の枠体で、前記したケース部５より一回り大きさが小さい。具体的には、本体部６の外枠とケース部本体５ａの内枠の大きさがほぼ同じである。即ち、本体部６は、ケース部本体５ａの裏面側に嵌め込まれて、本体部６とケース部５との間に図示しない空間を形成する。当該空間には、図示しない制御基板や信号線、電力線等が収容される。また、本体部６の背面壁６ａには、中央に円形状の開口が形成されており、当該開口を通じて前記信号線や電力線が壁面内に配線される。なお、電力線に信号を重畳する通信方式を採用した場合等は、電力線が信号線を兼ねるため、前記開口には電力線のみが挿通される。
【００４２】
本体部６の背面側においては、背面壁６ａの上方側に図示しない２つの係止開口が設けられており、当該係止開口同士が左右方向に一定間隔を空けて設けられている。前記係止開口は、背面壁６ａに形成された孔で、当該孔の奥（正面側）には上下方向に広がった空間が設けられている。即ち、前記係止開口に、取付部材２の鉤部３５が係止される。
【００４３】
また、連結部材３は、くさび状部材で、挿通方向中間部から先端側に向かって次第に狭幅とされている。即ち、連結部材３は、ケース部５の下部に設けられた図示しない連通開口部から挿通されて、取付部材２とケース部５と本体部６とを一体的に連結するものである。
【００４４】
次に、本実施形態のリモコン装置１の組み立て構造について説明する。
【００４５】
本実施形態のリモコン装置１は、前記したように、浴室の壁面に対してビス３９を用いて固定された取付部材２に装着されている。具体的には、図２に示す取付部材２の鉤部３５が、本体部６の図示しない係止開口に係止されると共に、図２に示す取付部材２の開口連結部２３が、本体部６の背面側からケース部５の図示しない連通開口部と連通するように配され、その連通状態の開口連結部２３と前記連通開口部に連結部材３が挿通されて、取付部材２とケース部５と本体部６とを一体的に連結している。
【００４６】
また、ケース部５においては、図２に示すように、正面側の下部に設けられた固定側ヒンジ部１５に、開閉蓋１１の外部壁１９の回転側ヒンジ部１８が開閉可能に係止されている。
【００４７】
さらに、開閉蓋１１においては、図３，４に示すように、蓋側操作部１３ｂを外部壁１９と内部壁９との間に配置させて、蓋側操作部１３ｂの操作円板４５ａを外部壁１９の操作側開口２９に配置すると共に、動作側端部４５ｂを内部壁９の動作側開口４３に配置して、図５，６に示すように、外部壁１９と内部壁９とで挟持している。このとき、外部壁１９の突状係合部４１と、内部壁９の凹状係合部４２とは、係合状態である。
また、開閉蓋１１は、閉状態において、内部壁９がヒンジ構造（固定側ヒンジ部１５及び回転側ヒンジ部１８）より正面側に位置する。このとき、内部壁９の排水部３４は、ケース部５の固定側ヒンジ部１５と対向した位置関係である。
【００４８】
ここで、開閉蓋１１は、前記したように、外部壁１９と内部壁９により蓋側操作部１３ｂを挟む構成としているため、図６に示すように、内部に若干の空間が形成されている。また、上記したように、外部壁１９の操作側開口２９と、内部壁９の動作側開口４３は、蓋側操作部１３ｂとの間に若干の隙間が形成されている。この構成により、開閉蓋１１は、湯水等に晒されると、図６の矢印が示すように、前記した隙間から湯水等の侵入を許し、開閉蓋１１の内部に湯水等が溜まることとなる。
なお、外部壁１９と内部壁９とを重ね合わせた場合、外部壁１９の化粧周壁１９ｂと、内部壁９の内側周壁９ｂとの間に若干の隙間が形成されるが、内部壁９の内側周壁９ｂが障害となり、湯水等は外部に排水されにくい。
【００４９】
しかしながら、本実施形態のリモコン装置１によれば、図３，６に示すように、内部壁９の下部側に切り欠き状の排水部３４が設けられている。これにより、外部壁１９と内部壁９との間に隙間が形成される。
また、排水部３４が設けられた箇所は、他の箇所より湯水等の流れに対する障害が少ないため、開閉蓋１１内部に侵入した湯水等が流れ易い。即ち、本実施形態のリモコン装置１によれば、操作側開口２９や動作側開口４３における隙間から侵入した湯水等が、速やかに外部に排水される。これにより、開閉蓋１１の内部において、湯水に含まれたシャンプーや石けんなどの洗剤類の成分が固化して、蓋側操作部１３ｂの操作性を低下させる可能性を低減できる。
【００５０】
また、本実施形態のリモコン装置１によれば、図６，７に示すように、開閉蓋１１の排水部３４がヒンジ構造より正面側に配され、さらに溝部５０がヒンジ構造より背面側に設けられているため、図７に示すように、排水部３４から排水された湯水等は、図７の一点鎖線が示すように、排水部３４からほぼ鉛直方向下方に落下する。換言すると、排水部３４の背面側に溝部５０が配されているため、排水部３４から排水された湯水等は、溝部５０より背面側に流れることがない。より詳細に説明すると、排水部３４から排水された湯水等は、固定ヒンジ部１５により背面側方向に流れることが阻止されるため、溝部５０よりも正面側の位置で鉛直方向下方に落下する。これにより、排水部３４から排水された湯水等は、浴室の壁面に伝って流れることがない。これにより、開閉蓋１１の排水部３４から排水された洗剤類等を含んだ湯水が、浴室の壁面に流れて、当該壁面に水垢や石けんかす等を付着させて、当該壁面を汚すことがない。
【００５１】
上記実施形態では、内部壁９に切り欠き状の排水部３４を設けた構成を示したが、本発明はこれに限定されず、外部壁１９に排水部３４ｂを設ける構成であっても構わない。その場合、例えば、排水部は、図８に示すように、開口形状としても構わない。排水部を開口形状とする場合、大きな開口を１つ設けるよりも、複数の開口を設けることが望ましい。即ち、複数の開口を設けた構成とすると、開口の間がリブとなり、外部壁１９の強度が一定以下に低下することが阻止されるため、蓋側操作部１３ｂを押圧した場合に、外部壁１９が撓んで破損することがない。
【００５２】
上記実施形態では、開閉蓋１１の内部に侵入した湯水等が成り行きで排水部３４に流れて排水される構成を示したが、本発明はこれに限定されず、例えば、図９に示すように、内部壁９に排水部３４ｃに導く案内部５１を設けて効率的に湯水等を外部に排水する構成であっても構わない。このような構成とすることで、排水部３４ｃの位置を合理的に配することが可能となる。なお、本構成では、内部壁９と外部壁１９の双方に排水部を設けており、内部壁９に切り欠き形状の排水部を設け、外部壁１９に開口形状の排水部を設けている。
【符号の説明】
【００５３】
１    リモコン装置
９    内部壁
１１    開閉蓋
１９    外部壁
１３ａ    操作部
１３ｂ    蓋側操作部
３４，３４ｂ，３４ｃ    排水部
５０    溝部
５１    案内部
【図１】
0005382441.tif 000002
【図２】
0005382441.tif 000003
【図３】
0005382441.tif 000004
【図４】
0005382441.tif 000005
【図５】
0005382441.tif 000006
【図６】
0005382441.tif 000007
【図７】
0005382441.tif 000008
【図８】
0005382441.tif 000009
【図９】
0005382441.tif 000010